(57)【要約】      （修正有）【課題】各種粘着テープのカット口を容易に探すことができる様に、粘着テープの表面に波線を表示してなる包装及接着用テープを提供する。【解決手段】クラフト紙、ビニール、セロハン、アルミ又は布等よりなる包装及接着用テープの本体表面に波線を表示する。波線はどこをカットしても、最上層部のテープ面の波線端部と次層の波線端部が合致する可能性は少ないために、テープの切り口を素早く、容易に判別することができる。波線に色をつけても良い。【選択図】図１
0003166306.tif 000002
【実用新案登録請求の範囲】
【請求項１】
テープ本体表面の波状線型入を設けたテープである。
【請求項２】
テープ本体表面の波状線型はカーラ線を設けた型線。
【請求項３】
テープ本体の表面の波状線型入加工は素材、及、種類に関係なく加工が可能。
（注）クラフト、紙、ビニール、セロフハン、アルミ、布  両面テープ、等、
【考案の詳細な説明】
【本考案の目的】
包装及接着用テープに関するものである
此の波状線型入加工テープは本体の表面に波状線型を印刷加工したテープである。
此の波状線型入に依ってテープのカット口を要易に探す事が可能で作業等がアップが計られる
此の波状線型は最も合線が不可能である型線にして設けて合線の重ね合いを要易に判別を可能にした。
従来のテープで不便を要している特に透明製のビニール、テープ  セロハンテープ、等で他にも不評がある現状で此れを解決に要したのが波状線型入加工テープである。此れに依って要易にカット口を探す事が可能になった。
此の波状線型入テープは線型をカーラにしてカット口を素早く判別が可能である。
此の波状線型入加工は素材、及種類に関係なく加工が可能である。
【図１】
0003166306.tif 000003
【図２】
0003166306.tif 000004
【図３】
0003166306.tif 000005
【図４】
0003166306.tif 000006
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
此の包装及接着用テープは、本体表面に津波線を設けた津波線入テープ。此の津波線入に依ってカット口を要易に探す事が出来る様に設けて探す時間を無くしてカット後をも次々に楽に使用が要易にした津波線入を特長とした包装及接着用テープ。
【請求項２】
此の津波線入テープは津波線を更に使い易く、便利さを目的に、色線加工を設けた此に依って更に作業アップ等が計られ便利使用が出来る。此の色線加工はテープ１個に１色を設けている、カーラ線の特長を持つ包装及接着用テープ。
【請求項３】
此の津波線入テープは、テープ表面の津波線加工はテープ種類に間わず津波線を設けるる事出来る。
［注］ビニールテープ、セロハンテープ、両面テープ、アルミテープ、布粘着テープ、クラフトテープ、紙テープ、紙粘着テープ、布テープ、等に津波線を設ける事が出来る。
【手続補正２】
【補正対象書類名】明細書
【補正対象項目名】全文
【補正方法】変更
【補正の内容】
【考案の詳細な説明】
【本考案の目的】
包装及接着用テープに関するものである。
此の津波線入テープは［図１］テープ本体表面に津波線を設けたテープでテープの切口を要易に探す事が出来る目的にテープに設けた此れに依って切口を次々に楽々く速く、カットする可能である［図２］此の津波線入加工に依って特に不評が多い透明製のビニールテープ、セロハンテープ、両面テープ、アルミテープ、等で、切り口探しが時間を要すると評されている。
他のテープも不評が多く聞かれる。此の津波線入に依って切口が、確認が出来きテープの使用が好評に至っている。（図２）
此の津波線は合線が何所をカットしても合線が不可の津波線を採用した又、特長を生かした津波線である。
又、此の津波線入は（請項２）津波線は目に付き易さを目的に
0003166306.tif 000007
種類に問わず設ける事が出来る。
又、此の津波線入加工は、種類に問わず設ける事が出来る
下記の通り。
（注）ビニールテープ、セロハンテープ、両面テープ、アルミテープ、布粘着テープ、クラフトテープ、紙粘着テープ、紙テープ、布テープ、等に津波線を設ける事が出来る。
【０００１】本考案は、包装及接着用テープでテープ本体表面に津波線を設けた津波線入テープである、此の津波線入に依ってカット口を何日使っても速くにカット口を探す事が出来る様に設けた津波線の特長をテープに加えたテープ。
【０００２】此の津波線入に依ってテープの切り口を速かに使える様に津波線入に衣って、次に使用を楽に要易にテープの使用を拡大にする可能性が持てる。
【０００３】此の項は、以上全体の述べた点が文献と見る。
【０００４】同上
【０００５】従来のテープは、貼るだけの目的で作られている此のテープを更に使い易くとはカット後の仕末であるが加えられていない従来のテープの市販である。特に別紙で説明の通り、透明製のビニール、セロハンテープが透明すぎてカット口が探す事が困難と評されている、探す時間を費やしている、不便と、他のテープも評が多い。
【０００６】此の津波線入に依って、従来のテープを便に使用易さ便利さ作業アップ更に楽しさが生れて来た津波線に依って解決を要した。
【０００７】此の津波線加工に依って使用を要易にした特長が従来のテープとの違いが別るテープに一つの利点を加えた津波線入テープ。
【０００８】此の項は、別紙「図面の簡単な説明」を参照されたい。
【０００９】此の津波線入テープを使う事より出発点であり使い始めよりすでに津波線が設けられているから要易に使い始める事が出来る使い後も次の使用時の準備が出来きているから、従来のテープとは全く違いがあるカットの用意が此の津波線入テープ特長である。
【００１０】此の津波線入テープは（図４）テープ本体で津波線を設けた本体である（図１）平面図で津波線入テープを表面と裏面にして示し
0003166306.tif 000008
て粘着面である（図２）は津波線入テープのカット口の状態を示している。カット線の上と下との線のカット型が正確に確認が出来る。
比々が此の津波線入テープ特長を表している。次のカット時を招いる。
【００１１】此の津波線入テープは（図３）断面図に依って、津波線入テープの特長を表現している、従来のテープとは全く違った効率的な使用が出来る。
【００１２】本製品は津波線に依りテープの使用を使い易さ、便利さ、作業アップを計った、テープの考案である従来のテープに津波線入に依ってテープの使用を変えたテープである。
【００１３】此のテープ本体は簡易な商品であるから部分説明は少ない
【符号の説明】１  津波線入テープ本体
２  津波線
３  カーラ線
【図面の簡単な説明】
【００１４】
【図１】平面図  此の図は津波線をテープ本体表面（図１）に設けた津波線入の表面、下は裏面粘着部（３）である。
【図２】正面図  此の図は津波線入テープのカット口のセンター部分を示し津波線の切り型の違いを正確に示している状態図でありテープの上、下の部分の津波線の切れ口が及型先で次のカットを要易に作業が可能、示している。
【図３】断面図  此の図は津波線入テープをカットした部分表して津波線を上に設けている左上突起点を（２）示している、下は裏面（３）であるカットした状態の断面図である。
【図４】側面図  此の図は津波線入テープの本体図、である（１）で津波線が（２）を示している津波線入テープ側面図。此れに依って従来のテープより使い易く、便利さ、作業アップが計られる、テープに一つの特長が加えられた津波線入テープ。
【手続補正３】
【補正対象書類名】図面
【補正対象項目名】全図
【補正方法】変更
【補正の内容】
【図１】
0003166306.tif 000009
【図２】
0003166306.tif 000010
【図３】
0003166306.tif 000011
【図４】
0003166306.tif 000012
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
テープ本体表面に波線を設けた波線入加工テープからなる包装及接着用テープ。
【請求項２】
テープ本体表面の波線加工は色線加工を設けた包装及接着用テープ。
【請求項３】
テープ本体表面の波線入加工はテープの種類の全てに加工からなる包装及接着用テープ、
（注）、ビニルテープ、セロハンテープ、両面テープ。アルミテープ。クラフトテープ。布粘着テープ。紙粘着テープ。紙テープ。ガーゼテープ。等に加工。
【手続補正２】
【補正対象書類名】明細書
【補正対象項目名】全文
【補正方法】変更
【補正の内容】
【考案の詳細な説明】
【本考案の目的】
包装及接着用テープに関するものである。
此の波線入加工テープはテープ本体表面に波線と言ふ型を印刷加工に依って企画した商品で従来のテープに波線を加えて更に使い易さ、便利さ、楽しさ、作業アップ等、又不便さなどの欠点のテープを一歩進めたテープであり、従来のテープは、唯、貼る、接着のみのテープである、此のテープは、使った後の事を考えて次のカットの時点も速に使える様に考えて波線加工を企画した商品ある、現在の市販のテープは特に不評多いテープは透明製のビニールテープ、セロハンテープ、両面テープ、アルミテープ等が切り口探しが時間を要するとの不評で他のテープも同じ不評を聞く、此の点を、解決を見たのが波線入加工を企画したものであり、作業現場等では、尚さら使い易さが要求されている、此の波線入に依って使い始めから最後まで要易に探す、切り口、が時間を要せず使用が可能であり此の波線は最も合線が不可で切り口探しに最適当と考え企画した、もし直線を使えば速く合線して何の役目はなく使えない直線である波線は最も不合線が高く、て確認が出来き、テープと波線加工に依って特長を持つ波線入加工テープ。
又、此の波線入加工は、テープの種類に波線加工が設ける事が出来る、波線に設けた印刷機に依って生産が可能、（注）ビニル、セロハン、アルミ、両面、クラフト、布粘着、紙粘着、紙、ガーゼ等のテープ。
又、此の波線は色線を設ける事が出来き上記の種類のテープに１個に１色を設けて生産する事が可能
色は、赤、青、黄、緑、革、黒、他等を選び使用色可能。
【０００１】本考案は、包装及接着用テープでテープ本体表面に津波線を設けた津波線入テープである、此の津波線入に依ってカット口を何日使っても速くにカット口を探す事が出来る様に設けた津波線の特長をテープに加えたテープ。
【０００２】此の津波線入に依ってテープの切り口を速かに使える様に津波線入に衣って、次に使用を楽に要易にテープの使用を拡大にする可能性が持てる。
【０００３】此の項は、以上全体の述べた点が文献と見る。
【０００４】同上
【０００５】従来のテープは、貼るだけの目的で作られている此のテープを更に使い易くとはカット後の仕末であるが加えられていない従来のテープの市販である。特に別紙で説明の通り、透明製のビニール、セロハンテープが透明すぎてカット口が探す事が困難と評されている、探す時間を費やしている、不便と、他のテープも評が多い。
【０００６】此の津波線入に依って、従来のテープを便に使用易さ便利さ作業アップ更に楽しさが生れて来た津波線に依って解決を要した。
【０００７】此の津波線加工に依って使用を要易にした特長が従来のテープとの違いが別るテープに一つの利点を加えた津波線入テープ。
【０００８】此の項は、別紙「図面の簡単な説明」を参照されたい。
【０００９】此の津波線入テープを使う事より出発点であり使い始めよりすでに津波線が設けられているから要易に使い始める事が出来る使い後も次の使用時の準備が出来きているから、従来のテープとは全く違いがあるカットの用意が此の津波線入テープ特長である。
【００１０】此の津波線入テープは（図４）テープ本体で津波線を設けた本体である（図１）平面図で津波線入テープを表面と裏面にして示した図で表面に津波線が示されている波を表している（１図−１−２裏面にして粘着面である（図２）は津波線入テープのカット口の状態を示している。カット線の上と下との線のカット型が正確に確認が出来る。
比々が此の津波線入テープ特長を表している。次のカット時を招いる。
【００１１】此の津波線入テープは（図３）断面図に依って、津波線入テープの特長を表現している、従来のテープとは全く違った効率的な使用が出来る。
【００１２】本製品は津波線に依りテープの使用を使い易さ、便利さ、作業アップを計った、テープの考案である従来のテープに津波線入に依ってテープの使用を変えたテープである。
【００１３】此のテープ本体は簡易な商品であるから部分説明は少ない
【符号の説明】１  津波線入テープ本体
２  津波線
３  カーラ線
【図面の簡単な説明】
【００１４】
【図１】平面図  此の図は津波線をテープ本体表面（図１）に設けた津波線入の表面、下は裏面粘着部（３）である。
【図２】正面図  此の図は津波線入テープのカット口のセンター部分を示し津波線の切り型の違いを正確に示している状態図でありテープの上、下の部分の津波線の切れ口が及型先で次のカットを要易に作業が可能、示している。
【図３】断面図  此の図は津波線入テープをカットした部分表して津波線を上に設けている左上突起点を（２）示している、下は裏面（３）であるカットした状態の断面図である。
【図４】側面図  此の図は津波線入テープの本体図、である（１）で津波線が（２）を示している津波線入テープ側面図。此れに依って従来のテープより使い易く、便利さ、作業アップが計られる、テープに一つの特長が加えられた津波線入テープ。
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
テープ本体表面に波線を設けた波線からなる包装及接着用テープ。
【請求項２】
テープ本体表面に色線からなる波線を設けた波線入テープからなる包装及接着テープ。
【請求項３】
テープの本体が、ビニールテープ、セロハンテープ、両面テープ、アルミテープ、クラフトテープ、布粘着テープ、紙テープ、紙粘着テープ、ガーゼテープ、であり本体表面に波線を設けた波線入テープからなる包装及接着用テープ。
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
【請求項１】
テープ本体表面に波線を設けた波線入テープからなる包装及接着用テープ。
【請求項２】
テープ本体表面に波線を設けて更に作業アップを計る為に色線を設けた色線入テープからなる包装及接着用テープ。
【請求項３】
テープ本体の素材が、ビニールテープ、セロハンテープ、両面テープ、アルミテープ、クラフトテープ、布粘着テープ、紙テープ、紙粘着テープ又はガーゼテープであり、本体表面に設けた波線入テープからなる包装及接着用テープ。